(57)【要約】【課題】装着時に違和感が殆どなく、かつ、見栄えも良好で安価とする。【解決手段】ピアス孔11に挿入されるプロテクタ本体14を、剛体であるチタン等より大幅に柔軟なシリコンゴムから構成するようにしたので、装着時に違和感は殆どなく、しかも、安価に製作することができる。さらに、プロテクタ本体14からピアス20のステム21を抜き出したとき、ステム21によって底壁に形成された孔はシリコンゴムから構成されたプロテクタ本体14（底壁）の弾性復元力により視認できない程度まで縮小し、この結果、見栄えも良好となる。【選択図】図１
2007195847.tif 000002
【特許請求の範囲】
【請求項１】
シリコンゴムからなるとともに、ピアス孔に挿入され、内部に軸方向他端から軸方向一端に向かって延びる挿通穴が形成されることで、軸方向一端部に底壁が形成された有底円筒状を呈するプロテクタ本体を備え、ピアスのステムを前記底壁を貫通させながら軸方向一側から挿通穴に挿通することで、前記ステムをビアス孔の表面から離間させるようにしたことを特徴とするピアス用プロテクタ。
【請求項２】
前記プロテクタ本体より高剛性で、挿通穴と実質上同一径である芯体をさらに備え、前記ステムの代わりに挿通穴に芯体を挿通させることでピアス孔の縮小を阻止するようにした請求項１記載のピアス用プロテクタ。
【請求項３】
シリコンゴムからなるとともに、前記プロテクタ本体の軸方向他端部外側に嵌合可能なリング状のキャッチをさらに備え、挿通穴にステムまたは芯体が挿通されているとき、該キャッチをプロテクタ本体の軸方向他端部外側に嵌合させるようにした請求項１または２記載のピアス用プロテクタ。
【請求項４】
前記キャッチの内周に周方向に延びる突起を形成した請求項３記載のピアス用プロテクタ。
【発明の詳細な説明】
【技術分野】
【０００１】
この発明は、ピアスを装着するとき、ピアスのステムをピアス孔の表面から離間させるためのピアス用プロテクタに関する。
【背景技術】
【０００２】
従来のピアス用プロテクタとしては、例えば以下の特許文献１に記載されているようなものが知られている。
【特許文献１】特開平８−６６２１１号公報
【０００３】
このものは、チタン、銀、カーボン等のノンアレルギー素材からなるとともに、ピアス孔に挿入され、内部に軸方向一端から軸方向他端まで延びる貫通孔が形成された円筒状の管体を備え、ピアスのステムを前記貫通孔に挿通することで、前記ステムをビアス孔の表面から離間させ、これにより、ステムの金属アレルギーに基づく皮膚炎、かぶれ等を阻止するようにしている。
【発明の開示】
【発明が解決しようとする課題】
【０００４】
しかしながら、このような従来のピアス用プロテクタにあっては、管体がチタン等の殆ど変形しない剛体から構成されているため、ピアス孔への装着時、柔らかな皮膚に接触して違和感があるとともに、製作費が高価となってしまうという課題があった。しかも、管体からピアス（ステム）を抜き出したときには、管体の貫通した貫通孔が外部から視認され、見栄えが悪いという課題もあった。
【０００５】
この発明は、装着時に違和感が殆どなく、かつ、見栄えも良好で安価なピアス用プロテクタを提供することを目的とする。
【課題を解決するための手段】
【０００６】
このような目的は、シリコンゴムからなるとともに、ピアス孔に挿入され、内部に軸方向他端から軸方向一端に向かって延びる挿通穴が形成されることで、軸方向一端部に底壁が形成された有底円筒状を呈するプロテクタ本体を備え、ピアスのステムを前記底壁を貫通させながら軸方向一側から挿通穴に挿通することで、前記ステムをビアス孔の表面から離間させることにより、達成することができる。
【発明の効果】
【０００７】
この発明においては、ピアス孔に挿入されるプロテクタ本体を、剛体であるチタン等より大幅に柔軟であるシリコンゴムから構成するようにしたので、ピアス孔への装着時に違和感は殆どなく、しかも、安価に製作することができる。さらに、プロテクタ本体からピアスのステムを抜き出したとき、ステムによって底壁に形成された孔はシリコンゴムから構成されたプロテクタ本体（底壁）の弾性復元力により殆ど視認できない程度まで縮小し、この結果、見栄えも良好となる。
【０００８】
また、プロテクタ本体をシリコンゴムから構成したので、該プロテクタ本体からピアスのステムを抜き出すと、プロテクタ本体が半径方向に潰れてピアス孔が縮小するおそれがあるが、請求項２に記載のように前記ステムの代わりとして高剛性の芯体を挿通穴に挿通させれば、前記ピアス孔の縮小を効果的に阻止することができる。
【０００９】
さらに、請求項３に記載のように構成すれば、金属製のキャッチに比較してアレルギーに基づく皮膚炎、かぶれ等を効果的に阻止することができるとともに、安価に製作でき、さらに、嵌合時、摩擦抵抗の大きなシリコンゴム同士の接触となるため、抜け止め効果が確実となる。
また、請求項４に記載のように構成すれば、ピアスのステム径に変更があっても該ステムの抜け止めを確実とすることができる。
【実施例】
【００１０】
以下、この発明の実施例を図面に基づいて説明する。
図１、２において、11は人体の一部、この実施例では耳12の耳たぶ13に図示していないパンチにより形成された貫通している小径のピアス孔であり、このピアス孔11にはシリコンゴムからなるプロテクタ本体14が挿入されているが、このプロテクタ本体14は断面が円形で直径は前記ピアス孔11の内径と実質上同径である。ここで、前記プロテクタ本体14の軸方向長は耳たぶ13の厚さより大であり、その軸方向他端部が耳たぶ13の裏側面より突出している。
【００１１】
このプロテクタ本体14の内部でその中心軸上には軸方向他端（耳たぶ13の裏側）から軸方向一端（耳たぶ13の表側）に向かって軸方向に延びる断面円形の挿通穴15が形成され、この結果、プロテクタ本体14は軸方向一端部に薄肉の底壁16が形成された有底円筒状を呈することになる。ここで、前記プロテクタ本体14はピアス孔11にピアス孔11の軸方向一側から挿入されるため、プロテクタ本体14の軸方向他端近傍は軸方向他端に向かうに従い小径となった円錐台状に形成されている。
【００１２】
20はピアスであり、このピアス20は18金等の金属からなり、外径が前記挿通穴15の内径と実質上同径の円柱状をしたステム21と、このステム21の軸方向一端に固定され前記ステム21より大径である装飾部22とを備え、前記ステム21の軸方向長はプロテクタ本体14の軸方向長より若干大である。そして、このピアス20のステム21は前記プロテクタ本体14の挿通穴15に挿通されるが、このような挿通はステム21をプロテクタ本体14の底壁16を貫通させながら軸方向一側から挿入することで行われる。
【００１３】
この結果、金属からなるステム21はプロテクタ本体14によりピアス孔11の表面から離間され、ステム21の金属アレルギーに基づく皮膚炎、かぶれ等が効果的に阻止される。ここで、ピアス孔11の表面にはプロテクタ本体14が接触するようになるが、このプロテクタ本体14は皮膚に対するアレルギー反応が極めて小さなシリコンゴム、例えばポリアルキルアルケニルシロキサン、ポリアルキルシロキサン、シリカを主成分とするシリコンゴムから構成されているため、ピアス孔11の表面に皮膚炎、かぶれ等が発生することはない。
【００１４】
また、ピアス孔11に挿入されるプロテクタ本体14を、剛体であるチタン等より大幅に柔軟なシリコンゴムから構成するようにしたので、ピアス孔11への装着時に違和感は殆どなく、しかも、安価に製作することができる。さらに、プロテクタ本体14からピアス20のステム21を抜き出したとき、ステム21によって底壁16に形成された孔はシリコンゴムから構成されたプロテクタ本体14（底壁16）の弾性復元力により殆ど視認できない程度まで縮小し、この結果、見栄えも良好となる。
【００１５】
ここで、前記プロテクタ本体14を構成するシリコンゴムのＪＩＳ硬度は30度〜80度の範囲とすることが好ましい。その理由は、前記ＪＩＳ硬度が30度未満であると、プロテクタ本体14が軟弱となり過ぎて取り扱いが難しくなり、一方、80度を超えると、装着時の違和感が気になり始めるからである。
【００１６】
また、前記プロテクタ本体14の軸方向一端部外周にはリング状のフランジ24が一体形成されているが、このフランジ24は耳たぶ13の表側面に接触してプロテクタ本体14の抜け止めを行う。このとき、シリコンゴムからなる前記フランジ24は耳たぶ13の表側面をピアス20の装飾部22から離間させため、装飾部22の金属アレルギーに基づく皮膚炎、かぶれ等が同様に効果的に阻止される。
【００１７】
28はシリコンゴムからなるリング状をしたキャッチであり、このキャッチ28の内径はプロテクタ本体14の外径と実質上同径、または、これより僅かに小径である。そして、このキャッチ28を、挿通穴15にステム21が挿通されているとき、プロテクタ本体14の軸方向他端部外側に軸方向他側から嵌合するとともに、耳たぶ13の裏側面に接触させる。
【００１８】
これにより、プロテクタ本体14およびピアス20（ステム21）はキャッチ28により抜け止めされるが、このとき、プロテクタ本体14とキャッチ28とは摩擦抵抗の大きなシリコンゴム同士の接触となるため、抜け止め効果が確実となる。また、このキャッチ28は前述のように耳たぶ13の裏側面に接触するが、このキャッチ28はシリコンゴムから構成されているので、金属製キャッチのような金属アレルギーが発生することはなく、安価に製作することもできる。
【００１９】
ここで、前記キャッチ28の内周でその軸方向中央部には周方向に連続して延びる環状の突起30が形成されている。このようにキャッチ28の内周に突起30を設けるようにすれば、ピアス20のステム21径に変更があっても、突起30の変形量が変化することで径差を吸収し、該ステム21の抜け止めを確実とすることができる。なお、前記突起は周方向に間欠的に設けられていてもよい。
【００２０】
図２、３において、34はプロテクタ本体（シリコンゴム）14より高剛性の合成樹脂、例えばアクリル樹脂、ポリエチレン樹脂、ポリプロピレン樹脂からなる円柱状の芯体であり、この芯体34の外径は挿通穴15の内径と実質上同一径であるとともに、その軸方向長は挿通穴15より若干短い。また、この芯体34の軸方向他端には軸方向他側に向かって先細りとなった略円錐状のガイド35が一体形成され、このガイド35の最大径はプロテクタ本体14の外径と略同一径である。
【００２１】
そして、この芯体34は、ピアス20がプロテクタ本体14から抜き出されたとき、該ピアス20のステム21の代わりに軸方向他側から挿通穴15内に挿通されるが、このとき、ガイド35はプロテクタ本体14の軸方向他端から他側に向かって突出する。このようにステム21の代わりに挿通穴15内に芯体34を挿通するようにすれば、ピアス孔11に挿入されているプロテクタ本体14が軟弱なシリコンゴムから構成されていても、該プロテクタ本体14が半径方向に潰れるようなことはなく、これにより、ピアス孔11の縮小を効果的に阻止することができる。また、前述のように芯体34を合成樹脂から構成すれば、安価に製作することもできる。
【００２２】
次に、前記実施例の作用について説明する。
ピアス20を耳たぶ13に装着する場合には、まず、プロテクタ本体14の挿通穴15にピアス20のステム21を底壁16を貫通させながら軸方向一側から挿入し、装飾部22をフランジ24に当接させる。このとき、ステム21の軸方向長はプロテクタ本体14の軸方向長より若干長いので、ステム21の先細りとなった軸方向他端部がプロテクタ本体14から突出する。この状態でプロテクタ本体14、ステム21を一体的にピアス孔11内に耳たぶ13の表側から挿入し、これらの軸方向他端部を耳たぶ13の裏側に突出させるとともに、フランジ24を耳たぶ13の表側面に接触させる。
【００２３】
このとき、ステム21、装飾部22はプロテクタ本体14、フランジ24により耳たぶ13から離間され、ステム21、装飾部22の金属アレルギーに基づく皮膚炎、かぶれ等が効果的に阻止される。一方、耳たぶ13（ピアス孔11）の表面にはプロテクタ本体14、フランジ24が接触するようになるが、これらプロテクタ本体14、フランジ24はシリコンゴムから構成されているため、前述のように耳たぶ13（ピアス孔11）の表面に皮膚炎、かぶれ等が発生することはない。また、このとき、ステム21は薄肉の底壁16を押し広げながら貫通するため、底壁16の弾性復元力がステム21に摩擦抵抗として作用し、ステム21の抜け止めをさらに確実とする。
【００２４】
次に、キャッチ28をプロテクタ本体14の軸方向他端部外側に軸方向他側から嵌合するとともに、耳たぶ13の裏側面に接触させる。これにより、プロテクタ本体14およびピアス20（ステム21）はキャッチ28により抜け止めされるが、このとき、プロテクタ本体14とキャッチ28とは摩擦抵抗の大きなシリコンゴム同士の接触となるため、抜け止め効果が確実となる。また、このキャッチ28は前述のように耳たぶ13の裏側面に接触するが、このキャッチ28はシリコンゴムから構成されているので、金属製キャッチと異なりアレルギーに基づく皮膚炎、かぶれ等が生じることは殆どない。
【００２５】
一方、ピアス20を耳たぶ13から外す場合には、キャッチ28をプロテクタ本体14から取り外した後、プロテクタ本体14、ピアス20をピアス孔11から抜き出し、その後、ピアス20のステム21をプロテクタ本体14の挿通穴15から抜き出す。このとき、ステム21によって底壁16に形成された孔はシリコンゴムから構成されたプロテクタ本体14（底壁16）の弾性復元力により殆ど視認できない程度まで縮小するため、ピアス20を取り外した状態で該プロテクタ本体14を耳たぶ13に装着しても、見栄えはよい。
【００２６】
次に、芯体34を前記ステム21の代わりに軸方向他側から挿通穴15内に、ガイド35がプロテクタ本体14の軸方向他端に当接するまで挿通させる。この状態でプロテクタ本体14、芯体34を一体的にピアス孔11内に耳たぶ13の表側から挿入し、これらの軸方向他端部を耳たぶ13の裏側に突出させるとともに、フランジ24を耳たぶ13の表側面に接触させる。
【００２７】
ここで、前述のようにプロテクタ本体14を軟弱なシリコンゴムから構成していると、該プロテクタ本体14からステム21を抜き出したとき、プロテクタ本体14が半径方向に潰れてピアス孔11が縮小するおそれがあるが、このプロテクタ本体14の挿通穴15内にステム21の代わりとして高剛性の芯体34を挿通させれば、前記ピアス孔11の縮小を効果的に阻止することができる。その後、キャッチ28をプロテクタ本体14の軸方向他端部外側に軸方向他側から嵌合するとともに、耳たぶ13の裏側面に接触させる。これにより、プロテクタ本体14および芯体34はキャッチ28により抜け止めされる。
【産業上の利用可能性】
【００２８】
この発明は、ピアスを装着するとき、ピアスのステムをピアス孔の表面から離間させる産業分野に適用できる。
【図面の簡単な説明】
【００２９】
【図１】この発明の実施例を示す側面断面図である。
【図２】その一部破断展開図である。
【図３】芯体をプロテクタ本体に挿入したときの側面断面図である。
【符号の説明】
【００３０】
11…ピアス孔               14…プロテクタ本体
15…挿通穴                 16…底壁
20…ピアス                 21…ステム
28…キャッチ               30…突起
34…芯体
【図１】
2007195847.tif 000003
【図２】
2007195847.tif 000004
【図３】
2007195847.tif 000005